(57)【要約】【課題】モノクロモードとカラーモードとの切替を行ってもベルトにかかる負荷を低くしたベルトユニット、及び、それを備えた画像形成装置を提供することを課題とする。【解決手段】プリンタ１には、ベルトユニット１０と、モノクロ用の感光体ドラム１１Ａは一端側に配置された感光体ドラム１１Ａ〜Ｄとが設けられている。また、プリンタ１には、無端状のベルト２８と、支持ロール２０、２２を支える固定フレームと、固定フレームに設けられた軸部４６と、ステアリングロール２４を支えるとともに軸部４６回りに揺動可能に取付けられた可動フレームとを備えている。そして、支持ロール２０の回転中心２０Ｃと支持ロール２２の回転中心２２Ｃとを結んだ直線Ｓ１の中央点Ｍ１と、カラーモードにおけるステアリングロール２４の回転中心２４Ｃと、を結んだ直線Ｓ２の上に可動フレームの揺動中心４６Ｃが位置している。【選択図】図１
2010282124.tif 000002
【特許請求の範囲】
【請求項１】
転写ロールが設けられた固定されたフレームと、
前記固定されたフレームに設けられた複数の固定側の支持用ロールと、
前記固定されたフレームに揺動可能に取付けられ、複数の転写ロールが設けられた可動するフレームと、
前記可動するフレームに設けられた可動側の支持用ロールと、
前記固定側の支持用ロールと前記可動側の支持用ロールとに張架され、前記固定されたフレームに設けられた転写ロール及び前記可動するフレームに支持された転写ロールに接触すると共に複数本の感光体ドラムに接触する無端状のベルトと、
を備え、
前記可動するフレームの揺動中心が揺動中心両側のベルト部分の中央にあり、
モノクロモードでは前記可動するフレームが揺動してモノクロモード以外の感光体ドラムから前記ベルトを離間させる、ベルトユニット。
【請求項２】
前記固定側の支持用ロールとして２本のロールが設けられ、
前記２本のロールの回転中心を結んだ線の中央点と、カラーモードにおける前記可動側の支持用ロールの回転中心と、を結んだ線上に前記揺動中心が位置する、請求項１に記載のベルトユニット。
【請求項３】
前記可動側の支持用ロールは、前記ベルトの送り方向と直交する方向に移動して前記ベルトの蛇行調整を行うステアリングロールである、請求項１又は２に記載のベルトユニット。
【請求項４】
前記ベルトを張架するように前記ステアリングロールを付勢する付勢手段が設けられている、請求項３に記載のベルトユニット。
【請求項５】
前記固定されたフレームが、前記可動するフレームに設けられた転写ロールの配置位置にまで延び出しており、
前記固定されたフレームを経由して、前記可動するフレームに設けられた転写ロールへ給電する給電機構が設けられている、請求項１〜４のうち何れか１項に記載のベルトユニット。
【請求項６】
前記可動するフレームには、前記固定されたフレーム側から給電される可動されたフレーム側の導通板部が設けられ、
前記固定されたフレームには、前記導通板部を付勢しつつ前記導通板部に接触するバネ部を備えた固定されたフレーム側の導通板部が設けられている、請求項５に基板のベルトユニット。
【請求項７】
前記ベルトが中間転写ベルトである、請求項１〜６のうち何れか１項に記載のベルトユニット。
【請求項８】
前記ベルトが用紙搬送ベルトである、請求項１〜６のうち何れか１項に記載のベルトユニット。
【請求項９】
請求項１〜８のうちの何れか１項に記載のベルトユニットを備えた、画像形成装置。
【発明の詳細な説明】
【技術分野】
【０００１】
本発明は、ベルトユニット、及び、それを備えた画像形成装置に関する。
【背景技術】
【０００２】
画像形成装置では、中間転写ベルト、用紙搬送ベルトなどを形成するベルトユニットが多用されている。
【０００３】
ところで、カラー画像形成装置では、モノクロモードではモノクロ用感光体ドラムにベルトを接触させ、カラーモードではモノクロ用感光体ドラムも含めた複数本の感光体ドラムにベルトを接触させており、この接触形態の切り替え機構が設けられている。
【先行技術文献】
【特許文献】
【０００４】
【特許文献１】特許第３９９７０５１号公報
【発明の概要】
【発明が解決しようとする課題】
【０００５】
本発明は、モノクロモードとカラーモードとの切替を行ってもベルトにかかる負荷を低くしたベルトユニット、及び、それを備えた画像形成装置を提供することを課題とする。
【課題を解決するための手段】
【０００６】
請求項１に記載の発明は、転写ロールが設けられた固定されたフレームと、前記固定されたフレームに設けられた複数の固定側の支持用ロールと、前記固定されたフレームに揺動可能に取付けられ、複数の転写ロールが設けられた可動するフレームと、前記可動するフレームに設けられた可動側の支持用ロールと、前記固定側の支持用ロールと前記可動側の支持用ロールとに張架され、前記固定されたフレームに設けられた転写ロール及び前記可動するフレームに支持された転写ロールに接触すると共に複数本の感光体ドラムに接触する無端状のベルトと、を備え、前記可動するフレームの揺動中心が揺動中心両側のベルト部分の中央にあり、モノクロモードでは前記可動するフレームが揺動してモノクロモード以外の感光体ドラムから前記ベルトを離間させる。
【０００７】
請求項２に記載の発明は、前記固定側の支持用ロールとして２本のロールが設けられ、前記２本のロールの回転中心を結んだ線の中央点と、カラーモードにおける前記可動側の支持用ロールの回転中心と、を結んだ線上に前記揺動中心が位置する。
【０００８】
請求項３に記載の発明は、前記可動側の支持用ロールは、前記ベルトの送り方向と直交する方向に移動して前記ベルトの蛇行調整を行うステアリングロールである。
【０００９】
請求項４に記載の発明は、前記ベルトを張架するように前記ステアリングロールを付勢する付勢手段が設けられている。
【００１０】
請求項５に記載の発明は、前記固定されたフレームが、前記可動するフレームに設けられた転写ロールの配置位置にまで延び出しており、前記固定されたフレームを経由して、前記可動するフレームに設けられた転写ロールへ給電する給電機構が設けられている。
【００１１】
請求項６に記載の発明は、前記可動するフレームには、前記固定されたフレーム側から給電される可動されたフレーム側の導通板部が設けられ、前記固定されたフレームには、前記導通板部を付勢しつつ前記導通板部に接触するバネ部を備えた固定されたフレーム側の導通板部が設けられている。
【００１２】
請求項７に記載の発明は、前記ベルトが中間転写ベルトである。
【００１３】
請求項８に記載の発明は、前記ベルトが用紙搬送ベルトである。
【００１４】
請求項９に記載の発明は、請求項１〜７のうちの何れか１項に記載のベルトユニットを備えた画像形成装置である。
【発明の効果】
【００１５】
本発明によれば、モノクロモードとカラーモードとの切替を行うために可動するフレームが軸部回りに揺動してもベルト張力の変動が抑えられており、ベルトにかかる負荷を低くしたベルトユニット、及び、それを備えた画像形成装置が実現される。
【図面の簡単な説明】
【００１６】
【図１】本発明の一実施形態に係る画像形成装置の構成を示す模式的な側面断面図である。
【図２】本発明の一実施形態に係るベルトユニットの斜視図である。
【図３】本発明の一実施形態に係るベルトユニットの側面図である。
【図４】本発明の一実施形態に係るベルトユニットで、可動するフレームが揺動可能である構成を説明する側面図である。
【図５】本発明の一実施形態に係るベルトユニットの部分拡大側面断面図である。
【図６】本発明の一実施形態に係るベルトユニットで、ステアリングロールの端部が位置規制されることを説明する説明図である。
【図７】本発明の一実施形態に係るベルトユニットで、ステアリングロールの端部を位置規制することでベルトの蛇行が補正されることを説明する説明図である。
【図８】図８は、本発明の一実施形態に係るベルトユニットで、蛇行する力が作用してもステアリングロールが安定状態に戻ることを説明する説明図である。
【図９】本発明の一実施形態に係るベルトユニットで、ステアリング角が確保されることを説明する説明図である。
【図１０】本発明の一実施形態に係るベルトユニットの上側に電源ユニットが設けられていることを説明する斜視図である。
【図１１】本発明の一実施形態に係るベルトユニットの一方の側部に給電機構が設けられていること説明する斜視図である（可動ユニット側部を描いて説明する図）。
【図１２】本発明の一実施形態に係るベルトユニットの一方の側部に給電機構が設けられていること説明する斜視図である（可動ユニット側部を描かないで説明する図）。
【図１３】本発明の一実施形態に係るベルトユニットで、固定するフレーム側の導通板部と可動するフレーム側の導通板部とが摺動しつつ接触することを説明する斜視図である（カラーモードの状態）。
【図１４】本発明の一実施形態に係るベルトユニットで、固定するフレーム側の導通板部と可動するフレーム側の導通板部とが摺動しつつ接触することを説明する斜視図である（モノクロモードの状態）。
【図１５】本発明の一実施形態に係るベルトユニットで、固定するフレーム側の導通板部と可動するフレーム側の導通板部とが摺動しつつ常に接触することを説明する模式的な平面図である。
【図１６】本発明の一実施形態に係るベルトユニットで、固定するフレーム側の導通板部と可動するフレーム側の導通板部とが摺動しつつ常に接触することを説明する側面図である（カラーモードの状態）。
【図１７】本発明の一実施形態に係るベルトユニットで、固定するフレーム側の導通板部と可動するフレーム側の導通板部とが摺動しつつ常に接触することを説明する側面図である（モノクロモードの状態）。
【発明を実施するための形態】
【００１７】
以下、実施形態を挙げ、本発明の実施の形態について説明する。図１、図２に示すように、本発明の一実施形態に係るプリンタ１の内部には、複数の感光体ドラムおよび現像器等のプロセスユニットを有してカラーの画像形成を行う画像形成手段（以下、プリントヘッドデバイスという）２と、プリントヘッドデバイス２の上側に配置されたベルトユニット１０とが設けられている。このプリントヘッドデバイス２には、４本の感光体ドラム（像保持体）１１Ａ〜Ｄと、この４本の感光体ドラム（像保持体）１１Ａ〜Ｄに画像露光をそれぞれ施す露光部４Ａ〜Ｄが設けられている。また、プリンタ１には、プリントヘッドデバイス２に転写材としての転写用紙Ｐを供給する給紙カセット５と、プリントヘッドデバイス２からトナー像が転写された転写用紙Ｐに対して定着処理を施す定着装置６と、所望の転写用紙Ｐを給紙する手差し給紙手段８と、プリンタの動作を制御する制御回路や、画像信号に対して画像処理を施す画像処理回路等からなる制御部（図示せず）と、が設けられている。なお、図１で、Ｔは画像が形成された転写用紙Ｐを排出する排出部を示し、この排出部Ｔは、プリンタ１の上部に一体的に配置されている。
【００１８】
４本の感光体ドラム１１Ａ〜Ｄのうち紙面左端側で最下端に配置された感光体ドラム１１Ａはモノクロ用（黒色用）の感光体ドラムである。感光体ドラム１１Ｂ〜Ｄは、シアン（Ｃ）、マゼンタ（Ｍ）、イエロー（Ｙ）の各色用の感光体ドラムである。
【００１９】
（ベルトユニット、及びその揺動機構）
プリンタ１には、この感光体ドラム１１Ａ〜Ｄに接触する上記のベルトユニット１０が設けられている。ベルトユニット１０は、紙面左端側に配置された支持ロール２０、２２と、紙面右端側でベルトユニット１０の上端位置に配置されたステアリングロール２４と、支持ロール２０、２２及びステアリングロール２４に張架される無端状のベルト（中間転写ベルト）２８と、を備えている。ステアリングロール２４は、ベルト２８の蛇行調整を行うとともに支持ロールとしての役割も果たす。支持ロール２０、２２、及びステアリングロール２４は側方から見て略二等辺三角形を形成する位置に配置されている。
【００２０】
また、支持ロール２０、２２のうちの上側の支持ロール２０に回転駆動力が伝達されることによって、ベルト２８が回転駆動するようになっている。そして、支持ロール２０と２次転写対向ロールとの間のベルト面にてベルト２８と用紙との接触面が形成されている。なお、支持ロール２０、２２のうち下側の支持ロール２２に回転駆動力が伝達される構成にしてもよい。
【００２１】
また、図２〜図４に示すように、ベルトユニット１０は、支持ロール２０、２２及び後述するように固定された１次転写ロール３０Ａを回転可能に支持する固定されたフレーム（支持ロール２０、２２を回転可能に支持してベルトを支持するための枠体。以下、固定フレームと称する）３４と、ステアリングロール２４及び移動する１次転写ロール３０Ｂ〜Ｄを回転可能に支持する可動するフレーム（ベルトを支持し、ベルトの接離動作時に、可動して１次転写ロールを感光体ドラムの表面から離間させるための枠体。以下、可動フレームと称する）３６と、を備えている。
【００２２】
ベルト幅方向の一方の側部Ｒでは、ベルト幅方向の他方の側部Ｌに比べ、固定フレーム側部３５が１次転写ロール３０Ｂ〜Ｄの位置にまで延び出している。固定フレーム側部３５の延び出し端側には、後述の揺動中心４６Ｃ回りの円弧方向に沿った案内溝孔３１（図２参照）が形成されている。そして、可動フレーム３６には、案内溝孔３１に入り込むストッパ３２（図２参照）が形成されている。
【００２３】
そして、プリンタ１には、図３、図４に示すようにカム機構３３が設けられている。このカム機構３３は、ステアリングロール２４が配置された側の可動フレーム端部に下方から当接するカム３３Ｃを有する。カム３３Ｃの回転により、カラーモードでは、１次転写ロール３０Ａ及び１次転写ロール３０Ｂ〜Ｄが一直線上に位置して全てベルト２８に接触した状態となり（図４、図１６参照）、モノクロモードでは、可動フレーム３６が上方へ揺動移動して（図１７参照）、１次転写ロール３０Ａがベルト２８に接触し１次転写ロール３０Ｂ〜Ｄがベルト２８から離れて非接触の状態となる。
【００２４】
また、図４に示すように、１次転写ロール３０Ｂ〜Ｄの端部は、後述の導電性の保持部材８４Ｂ〜Ｄによってそれぞれ回転可能に保持されているとともに可動フレーム３６の下縁部３６Ｌ側に向けて付勢されることによって位置決めされている。
【００２５】
１次転写ロール３０Ａ及び１次転写ロール３０Ｂ〜Ｄは、ベルト２８の外周面に、或いは感光体ドラム１１Ａ〜Ｄとベルト２８との間に搬送される用紙にトナー画像を転写するためにベルトユニット１０に設けられている。なお、可動フレーム３６には、廃トナーを収容する廃トナーボックスと、廃トナーボックスへ廃トナーを搬送する攪拌搬送部材とが設けられている。
【００２６】
ステアリングロール２４の両端部側には、図３、図５に示すように、ステアリングロール２４の軸部２５に取付けられてステアリングロール２４でベルト２８に引張り力を与える方向に延び出す引張り軸板３８と、その下端部で引張り軸板３８にベルト引張り方向に沿う方向に力を与えるように、ステアリングロール２４の軸周りに回転可能に取付けられた細長板状の回転板４０と、回転板４０の上端部と可動フレーム３６の上部とに端部が固定された引張コイルバネ４２と、が設けられている。
【００２７】
そして、ベルト２８の蛇行調整を行うために、図６〜図８に示すように、ステアリングロール２４の両端部には、ステアリングロール２４の軸方向に沿って外径が一定の勾配で変化する略円錐台状の傾斜面２４Ｓを有する端部部材２４Ｅが設けられている。可動フレーム３６には、この傾斜面２４Ｓに接触するブロック（固定部材）４４がステアリングロール２４の両端側にそれぞれ取付けられており、ブロック４４によって端部部材２４Ｅの位置が規制されている。すなわち、図７に示すようなベルト走行において、図８に示すようにステアリングロール２４の両端側にブロック４４を配置して端部部材２４Ｅの傾斜面２４Ｓがブロック４４に当接することになる。
【００２８】
このような構成により、ステアリングロール２４はベルト２８を張架するように付勢されているとともに、ベルト２８の送り方向と直交する方向に移動してベルト２８の蛇行調整を行うようにされている。
【００２９】
すなわち、ベルト２８の回転移動によってステアリングロール２４の上下方向位置を移動させる力が作用すると、ブロック４４によって端部部材２４Ｅが傾斜面２４Ｓに沿って上下方向に移動する。この結果、ステアリングを切る力が発生する。
【００３０】
一方、図５に示すように、引張コイルバネ４２によって、引張り軸板３８からバネ引張力Ｆ１がステアリングロール２４に作用する。ここで、このバネ引張力Ｆ１は、ベクトル分力の考え方により、ブロック４４に向けて端部部材２４Ｅを押し付ける与圧方向力Ｆ２と、この与圧方向力Ｆ２に直交するベルト引張力Ｆ３とに分解される。従って、与圧方向力Ｆ２を与える機構とベルト引張力Ｆ３を与える機構とを別々に設けなくても済む構成になっている。
【００３１】
そして、端部部材２４Ｅとブロック４４とがステアリングロール２４の両端側でそれぞれ設けられている。この結果、図９に示すように、ステアリングロール２４が、軸方向にも移動する構成とされ、しかも、ステアリング角の回転中心がステアリングロール２４の長手方向の略中央部とされる。これにより、ステアリングロールの片端側をステアリング角の回転中心とした場合に比べ、ステアリング角が二倍に確保される。また、ステアリングロール２４の軸方向移動の摩擦力が相殺されて動作安定性が向上する。
【００３２】
更に、図４に示すように、ベルトユニット１０は、可動フレーム３６を固定フレーム３４に揺動可能に連結する軸部４６を備えている。そして、軸部４６の中心の配置位置、すなわち、可動フレーム３６の揺動中心４６Ｃが、上側にあるベルト部分と下側にあるベルト部分との中央に位置している。
【００３３】
言い換えると、図１に示すように、モノクロ用の感光体ドラム１１Ａのベルト接触部ＦＡにおける法線ＳＡと、モノクロ用の感光体ドラム１１Ａに隣接する感光体ドラム１１Ｂのベルト接触部ＦＢにおける法線ＳＢと、の間であって、感光体ドラム１１Ａ、１１Ｂに接触するベルト部２８Ｌと、このベルト部２８Ｌよりも上方であってベルト部２８Ｌに対向するベルト部２８Ｕとの中間位置に軸部４６が配置されている。より詳細に説明すると、図１、図４に示すように、支持ロール２０の回転中心２０Ｃと支持ロール２２の回転中心２２Ｃとを結んだ直線Ｓ１の中央点Ｍ１と、カラーモードにおけるステアリングロール２４の回転中心２４Ｃと、を結んだ直線Ｓ２の上に揺動中心４６Ｃ（軸部４６の中心）が位置している。従って、可動フレーム３６が軸部４６回りに揺動しても軸部４６はベルト２８に接触しない。
【００３４】
カラーモードでは、ベルト２８が感光体ドラム１１Ａ〜Ｄの全てに接触している。そして、モノクロモードでは、可動フレーム３６の位置を切り替え、ベルト２８が感光体ドラム１１Ａにのみ接触し感光体ドラム１１Ｂ〜Ｄには接触しない状態にして、感光体ドラム１１の磨耗や現像器からのトナー消費を抑制する。
【００３５】
このように、揺動中心４６Ｃの位置がベルト部２８Ｌと２８Ｕとの中間位置とされており、これにより、モノクロモードとカラーモードとの切替を行うために可動フレームが軸部４６の回りに揺動しても、ベルト張力の変動が抑えられ、ベルトにかかる負荷が低い。
【００３６】
更には、直線Ｓ１の中央点Ｍ１と、カラーモードにおけるステアリングロール２４の回転中心２４Ｃと、を結んだ直線Ｓ２の上に揺動中心４６Ｃが位置している。これにより、上記のベルト張力の変動を最小限に抑えられる。
【００３７】
また、可動フレーム側の支持用ロールとしてステアリングロール２４が設けられ、このステアリングロール２４は、ベルト２８の送り方向と直交する方向に移動してベルト２８の蛇行調整を行う。これにより、構造的にステアリングロール２４を配置しやすい位置で、しかも支持ロール２０、２２から遠い位置にステアリングロール２４が配置される。
【００３８】
そして、引張コイルバネ４２によって、ステアリングロール２４でベルト２８が張架されるとともにブロック４４に向けて端部部材２４Ｅを押し付けている。従って、与圧方向力Ｆ２を与える機構とベルト引張力Ｆ３を与える機構とを別々に設けなくても済み、部品点数が低減されている。
【００３９】
（給電機構）
プリンタ１には、図１０〜図１２に示すように、可動フレーム３６が軸部４６の回りに揺動しても電源ユニット５０からの電力を固定フレーム３４側に給電する給電機構５４が設けられている。
【００４０】
給電機構５４には、ベルトユニット１０の上側に電源ユニット５０が設けられている。この電源ユニット５０は、固定フレーム３４の上縁側に固定された電源ハウジング５１と、電源ハウジング５１に固定された高圧電源基板５２と、高圧電源基板５２に電気接続され、可動フレーム３６と平行な給電部５６Ｓを有する給電基板５６と、を有する。
【００４１】
また、給電機構５４には、固定フレーム側部３５の上縁側に配置された電力受給部６０Ａ〜Ｄが設けられている。この電力受給部６０Ａ〜Ｄは、それぞれ、圧縮コイルスプリング６２Ａ〜Ｄと、圧縮コイルスプリング６２Ａ〜Ｄからそれぞれ延び出して給電部５６Ｓの下縁に電気接触する延出部６４Ａ〜Ｄとを有する。従って、圧縮コイルスプリングの押圧力によって延出部６４Ａ〜Ｄはそれぞれ給電部５６Ｓに押圧接触している。圧縮コイルスプリング６２Ａ〜Ｄ及び延出部６４Ａ〜Ｄは何れも導通部材で構成されている。なお、圧縮コイルスプリング６２Ａ〜Ｄを巻き出して延出部６４Ａ〜Ｄを形成してもよい。
【００４２】
また、給電機構５４には、電力受給部６０Ａ〜Ｄにそれぞれ導通する固定フレーム側の導通板部６６Ａ〜Ｄが備えられている。この導通板部６６Ａ〜Ｄは固定フレーム３４に設けられたものであり、導通板部６６Ａ〜Ｄの各上端部は、固定フレーム３４の上縁側に露出している。そして、この各上端部には、圧縮コイルスプリング６２Ａ〜Ｄを固定する接続部６８Ａ〜Ｄが形成されている。
【００４３】
導通板部６６Ａは、固定フレーム側部３５の上縁側から下縁側に向けて延び、途中で支持ロール２０、２２側へ曲がっており、固定フレーム側部３５の下縁側に向けて延びて１次転写ロール３０Ａに給電するように加工された部材である。
【００４４】
導通板部６６Ｂは、固定フレーム側部３５の上縁側から下縁側に向けて延び、途中で支持ロール２０、２２側へ曲がり、更に、図１３、図１４に示すように、先端側に板バネ部６７Ｂが形成されており、図１１、図１２のＪ方向から見ると（すなわちベルトユニット１０の側面側から見ると）Ｌ字状の部材である。
【００４５】
導通板部６６Ｃは、固定フレーム側部３５の上縁側から下縁側に向けて延び、途中でステアリングロール２４側へ曲がり、更に先端側に板バネ部６７Ｃが形成されており、Ｊ方向から見るとＬ字状の部材である。
【００４６】
導通板部６６Ｄも、固定フレーム側部３５の上縁側から下縁側に向けて延び、途中でステアリングロール２４側へ曲がり、更に先端側に板バネ部６７Ｄ形成されており、Ｊ方向から見るとＬ字状の部材である。
【００４７】
板バネ部６７Ｂ〜Ｄは、何れも、固定フレーム内側に向けて、すなわち、後述の受電板部７８Ｂ〜Ｄの側に向けて付勢する構成にされている。
【００４８】
更に、給電機構５４には、図１１〜図１６に示すように、導通板部６６Ｂ〜Ｄにそれぞれ接触し、１次転写ロール３０Ｂ〜Ｄに電力を伝達する可動フレーム側の導通板部７６Ｂ〜Ｄが設けられている。この導通板部７６Ｂ〜Ｄは可動フレーム３６に設けられたものである。
【００４９】
図１５に示すように、導通板部７６Ｂは、可動フレーム３６の外側（固定フレーム側）に露出している受電板部７８Ｂと、可動フレーム３６を貫通して可動フレーム３６の内側に延び出す給電板部８０Ｂと、を有する。
【００５０】
導通板部７６Ｃも同様の構成であり、可動フレーム３６の外側に露出している受電板部７８Ｃと、可動フレーム３６を貫通して可動フレーム３６の内側に延び出す給電板部８０Ｃと、を有する。
【００５１】
導通板部７６Ｄも、可動フレーム３６の外側に露出している受電板部７８Ｄと、可動フレーム３６を貫通して可動フレーム３６の内側に延び出す給電板部８０Ｄと、を有する。
【００５２】
受電板部７８Ｂ〜Ｄの配置位置は、可動フレーム３６が揺動中心４６Ｃの回りに揺動しても、板バネ部６７Ｂ〜Ｄがそれぞれ受電板部７８Ｂ〜Ｄに摺動しつつ常に接触している位置である。
【００５３】
更に、給電機構５４には、可動フレーム３６の内側に設けられた導電性の圧縮コイルバネ８２Ｂ〜Ｄと、導電樹脂で形成された保持部材８４とが設けられている。圧縮コイルバネ８２Ｂ〜Ｄは、一端で給電板部８０Ｂ〜Ｄに当接し、他端で保持部材８４Ｂ〜Ｄに当接している。保持部材８４Ｂ〜Ｄは、回転軸８６Ｂ〜Ｄによって両方向に回転可能とされている。そして、圧縮コイルバネ８２Ｂ〜Ｄからの付勢力によって保持部材８４Ｂ〜Ｄが１次転写ロール３０Ｂ〜Ｄを可動フレーム３６の下縁部側に向けて付勢するようになっている。
【００５４】
なお、固定フレーム３４の内側には、図４、図１１、図１２に示すように、１次転写ロール３０Ａの端部を回転可能に保持する導通性の保持部材８４Ａが設けられている。この保持部材８４Ａは、固定フレーム３４に両方向に回転可能なように回転軸８６Ａで保持されている。更に、導通板部６６Ａの下端に導電性の圧縮コイルバネ８２Ａが取付けられており、圧縮コイルバネ８２Ａの下端が、保持部材８４Ａを介して１次転写ロール３０Ａを固定フレーム３４の下縁部に向けて付勢することにより位置決めしている。
【００５５】
このような給電機構５４を設けることにより、可動フレーム３６が揺動中心４６Ｃの回りに揺動しても、導通板部７６Ｂ〜Ｄと導通板部６６Ｂ〜Ｄとがそれぞれ常に接触している。従って、電源ユニット５０からの電力が、導通板部６６Ｂ〜Ｄ、導通板部７６Ｂ〜Ｄを経由し、圧縮コイルバネ８２Ｂ〜Ｄ、保持部材８４Ｂ〜Ｄを経由して、可動フレーム３６に設けられた１次転写ロール３０Ｂ〜Ｄに給電される。
【００５６】
また、板バネ部６７Ｂ〜Ｄが受電板部７８Ｂ〜Ｄに押圧して付勢しているので、可動フレーム３６が揺動中心４６Ｃの回りに揺動しても、板バネ部６７Ｂ〜Ｄと受電板部７８Ｂ〜Ｄとの電気接触が良好である。
【００５７】
また、電力受給部６０Ａ〜Ｄの延出部６４Ａ〜Ｄは、受給用の圧縮コイルスプリング６２Ａ〜Ｄによって給電部５６Ｓの下端に向けて付勢されて接触している。従って、給電基板５６と電力受給部６０Ａ〜Ｄとの電気接触が良好である。
【００５８】
更に、給電板部８０Ｂ〜Ｄに導通性の圧縮コイルバネ８２Ｂ〜Ｄが押圧接触し、この圧縮コイルバネ８２Ｂ〜Ｄが導電性の保持部材８４Ｂ〜Ｄに押圧接触している。そして、この保持部材８４Ｂ〜Ｄは、１次転写ロール３０Ｂ〜Ｄを回転可能に保持している。従って、導通板部６６Ｂ〜Ｄから１次転写ロール３０Ｂ〜Ｄまでの電気接触が良好である。そして、導電樹脂で形成された保持部材８４Ｂ〜Ｄを経由して１次転写ロール３０Ｂ〜Ｄに給電する構成なので、部品点数が低減している。
【００５９】
なお、本実施形態ではベルト２８が中間転写ベルト（中間１次転写ベルト）である例で説明したが、ベルトが用紙搬送ベルトであってもよい。
【００６０】
以上、実施形態を挙げて本発明の実施の形態を説明したが、上記実施形態は一例であり、要旨を逸脱しない範囲内で種々変更して実施できる。また、本発明の権利範囲が上記実施形態に限定されないことは言うまでもない。
【符号の説明】
【００６１】
１  プリンタ
１０  ベルトユニット
１１Ａ〜Ｄ  感光体ドラム
２０  支持ロール
２０Ｃ  回転中心
２２  支持ロール
２２Ｃ  回転中心
２４  ステアリングロール
２４Ｃ  回転中心
２８Ｕ  ベルト部（ベルト部分）
２８Ｌ  ベルト部（ベルト部分）
３０Ａ〜Ｄ  １次転写ロール（中間転写ロール）
３４  固定フレーム
３５  固定フレーム側部
３６  可動フレーム
４６  軸部
４６Ｃ  揺動中心
５４  給電機構
６６Ａ〜Ｄ  固定フレーム側の導通板部
６７Ａ〜Ｄ  板バネ部（バネ部）
７６Ａ〜Ｄ  可動フレーム側の導通板部
ＦＡ  ベルト接触部
ＦＢ  ベルト接触部
ＳＡ  法線
ＳＢ  法線
Ｓ１  直線
Ｓ２  直線
Ｍ１  中央点
Ｒ  一方の側部
Ｌ  他方の側部
【図１】
2010282124.tif 000003
【図２】
2010282124.tif 000004
【図３】
2010282124.tif 000005
【図４】
2010282124.tif 000006
【図５】
2010282124.tif 000007
【図６】
2010282124.tif 000008
【図７】
2010282124.tif 000009
【図８】
2010282124.tif 000010
【図９】
2010282124.tif 000011
【図１０】
2010282124.tif 000012
【図１１】
2010282124.tif 000013
【図１２】
2010282124.tif 000014
【図１３】
2010282124.tif 000015
【図１４】
2010282124.tif 000016
【図１５】
2010282124.tif 000017
【図１６】
2010282124.tif 000018
【図１７】
2010282124.tif 000019